(57)【特許請求の範囲】
【請求項１】
少なくとも１つの光源を含む複数の群の光源によって発される光出力信号を制御する方法であって、当該方法は、前記複数の群の光源を電力信号及び変調信号を含む駆動信号で駆動させるステップを含み、前記変調信号は、前記複数の群の光源の個別情報を担持し、当該方法が、反復的に、
−前記複数の群の光源の前記光出力信号を遠隔的に検出するステップと、
−前記光出力信号の前記遠隔的検出の少なくとも１つの品質尺度を決定するステップと、
−前記少なくとも１つの品質尺度に基づき前記変調信号のみを調整するステップと、
を含む方法。
【請求項２】
請求項１に記載の方法であって、前記品質尺度を決定するステップが、
−前記複数の群の光源と前記遠隔的検出が実行される位置との間に延在する送信リンクに関する少なくとも１つの性能パラメータを推定するステップと、
−前記少なくとも１つの品質尺度を決定するステップのために、前記少なくとも１つの品質尺度を使用するステップと、
を含む、方法。
【請求項３】
請求項２に記載の方法であって、前記少なくとも１つの品質尺度は、信号対雑音比率、前記検出される個別光出力信号の信号振幅、及び前記検出される個別光出力信号の雑音レベルのうちの少なくとも１つを含む、方法。
【請求項４】
請求項１乃至３のいずれか一項に記載の方法であって、前記変調信号のみを調整するステップは、前記変調信号のパルス幅、周波数及び強度のうちの少なくとも１つを調整するステップを含む、方法。
【請求項５】
請求項１乃至４のいずれか一項に記載の方法であって、前記品質尺度を決定するステップが、
−現在の品質レベルを決定するステップと、
−前記現在の品質レベルを、所望な品質レベルと比較するステップと、
を含む、方法。
【請求項６】
請求項１乃至５のいずれか一項に記載の方法であって、前記光出力を遠隔的に検出するステップは、前記光出力信号から前記個別情報を抽出するステップを含み、前記少なくとも１つの品質尺度を決定するステップは、前記個別情報の抽出の品質尺度を決定するステップを含む、方法。
【請求項７】
請求項６に記載の方法であって、前記個別情報は、前記光出力信号の各時間周期内において少なくとも１ビットとして表わされる、方法。
【請求項８】
請求項７に記載の方法であって、前記個別情報の抽出の前記品質尺度は、誤検出ビットの数に関連する、方法。
【請求項９】
請求項７又は８に記載の方法であって、前記変調信号のみを調整するステップは、前記時間周期内におけるビットの数を調整するステップを含む、方法。
【請求項１０】
請求項１乃至９のいずれか一項に記載の方法であって、前記光出力信号を遠隔的に検出するステップは、前記光出力信号の少なくとも１つの光特性を推定するステップを含み、前記少なくとも１つの品質尺度を決定するステップは、前記少なくとも１つの光特性の推定の品質尺度を決定するステップを含む、方法。
【請求項１１】
請求項１乃至１０のいずれか一項に記載の方法であって、前記電力信号は、前記変調信号によって変調され、前記光出力信号を遠隔的に検出するステップは、前記光出力信号の少なくとも１つの光特性を推定するステップを含み、当該方法は、更に、前記少なくとも１つの光特性の推定に基づき前記電力信号を反復的に調整するステップを含む、方法。
【請求項１２】
請求項１１に記載の方法であって、前記電力信号を調整するステップは、更に、前記変調信号の前記調整に基づく、方法。
【請求項１３】
請求項１乃至１２のいずれか一項に記載の方法であって、前記個別情報は、前記一群の光源を識別する識別情報を含む、方法。
【請求項１４】
請求項１３に記載の方法であって、前記識別情報は、少なくとも１つの識別符号であって、前記変調信号を調整するステップは、前記符号の長さを調整するステップ、及び、割り当てられる識別符号の数を調整するステップのうちの少なくとも１つを含む、方法。
【請求項１５】
少なくとも１つの光源を含む複数の群の光源によって発される光出力信号を制御する制御システムであって、前記複数の群の光源は、電力信号及び変調信号を含む駆動信号によって駆動され、前記変調信号は、個別情報を担持する変調信号を含み、当該システムが、
−遠隔検出器装置と、
−前記検出器装置から検出データを受け取るように構成されるマスタ制御器と、
−前記マスタ制御器から制御データを受け取るように構成される複数の群の光源駆動ユニットであって、当該光源駆動ユニットのそれぞれが、前記光源のうちの対応する光源へ接続される、光源駆動ユニットと、
を有し、
−前記遠隔検出器装置が、前記複数の群の光源の前記光出力信号を検出するように構成され、
−前記マスタ制御器は、前記検出の少なくとも１つの品質尺度を決定し、そして
−前記マスタ制御器は、必要である場合に、前記少なくとも１つの品質尺度に基づき、前記変調信号の調整のみに関する制御値を決定する、
制御システム。
【発明の詳細な説明】
【技術分野】
【０００１】
本発明は、少なくとも１つの光源を有する一群の光源の光出力を制御する方法であって、前記一群の光源の光出力信号は個別情報を含む変調信号によって変調される、方法に関する。更に、本発明は、前記方法に従い光出力を制御するように構成される、検出装置及びマスタ制御器を含む発光システムに関する。
【背景技術】
【０００２】
発光システムの高度制御を可能にするために、各光源の光出力が変調信号によって変調される装置及び方法が開発されている。変調信号は、識別符号又は光源特性に関するデータなどの、個別情報を含む。このように各光出力をこのような個別情報とともに供給することによって、例えば、光源の状態を遠隔的に確認すること、又は遠隔的に検出される、すなわち光源から離れて検出される光出力全体への各光源からの寄与の識別を促進することが可能である。
【０００３】
従来技術において知られている１つのこのような発光システムは、国際特許出願公報第2006/111927号において開示されており、異なる光源の光強度は、個別に制御されている。照明システムは、複数の光源、検出器装置、マスタ制御器を含む。各光源は、電力信号を含む駆動信号、及び電力信号を変調する変調信号によって駆動される。変調信号は、情報コンテンツを担持する一方で、電力信号は、光源の光強度を決定する基本電力を提供する。光出力全体は、検出器装置を用いて遠隔的に検出し、対応する光源からの個別寄与は識別情報を含む個別変調信号を用いて識別される。更に、各変調信号は、関連付けられる光源についての、状態情報などの、追加的データを含む。各光源の、強度などの、光特性が推定される。このようにして得られる情報は、光源の光出力のいかなる必要な調整をも決定するマスタ制御器へ送信される。調整データは、前記電力信号を調整するために、光源の駆動装置へ送信される。
【０００４】
国際特許出願公報第2006/111927号の既知の制御方法及び制御装置並びに他の類似の方法及び装置は、発光システムの実際の構成とは独立している。これらは、異なる光源の所与のセットアップに関して最適ではない。通常、異なる様々な光源は、検出器への異なる距離を有し、異なる光強度を有し、検出器に対する異なる向きを有する。それでもなお、多数の光源に関しても、個別情報及び光特性の検出において高い信頼性を獲得することが望まれる。従来技術の着想において、このことは、最悪の場合の性能を有する光源に関して設計することによってのみ可能であり得る。このことは、本質的に、調光範囲、すなわち、光出力の可能な下限強度及び可能な上限強度、並びに、発光システムのデータレートを、不必要に高い程度に低減させる。調光範囲は、まさに変調信号によって使用される電力によって影響を受けることを注意されるべきである。
【発明の概要】
【発明が解決しようとする課題】
【０００５】
本発明の目的は、従来技術の上述の欠点を軽減させる制御方法及び装置を提供すること、及び、システムの性能の最適化に関する条件を提供することである。
【課題を解決するための手段】
【０００６】
この目的は、請求項１に記載の本発明に従う一群の光源の光出力信号を制御する方法、並びに請求項１５に記載の一群の光源の光出力信号を制御するように構成されるマスタ制御器及び検出器装置を含む制御システム、によって達成される。
【０００７】
本発明は、光出力制御が、検出器において実行される測定の、信頼性などの品質に依存するということ、及びまさに変調信号の特性を調整することによって、優れた品質を得ることが可能である一方で、光特性全体に望ましくない影響を可能な限り最も低い程度に抑える、という洞察に基づく。
【０００８】
したがって、本発明の一つの態様に従うと、少なくとも１つの光源を含む一群の光源によって発される光出力信号を制御する方法であって、前記光出力信号が、個別情報を担持する変調信号を含み、当該方法が、反復的に、
−前記一群の光源の前記光出力信号を遠隔的に検出するステップと、
−前記光出力信号の前記遠隔的検出の少なくとも１つの品質尺度を決定するステップと、
−前記少なくとも１つの品質尺度に基づき前記変調信号を調整するステップと、
を含む方法が提供される。
【０００９】
本発明の別の態様に従うと、少なくとも１つの光源を含む一群の光源によって発される光出力信号を制御するシステムであって、前記光出力信号が、個別情報を担持する変調信号を含み、当該システムが、
−遠隔検出器装置と、
−前記検出器装置から検出データを受け取るように構成されるマスタ制御器と、
−前記マスタ制御器から制御データを受け取るように構成される一群の光源駆動ユニットであって、当該光源駆動ユニットのそれぞれが、前記光源のうちの対応する光源へ接続される、光源駆動ユニットと、
を有し、
−前記遠隔検出器装置が、前記一群の光源の前記光出力信号を検出するように構成され、
−前記マスタ制御器は、前記検出の少なくとも１つの品質尺度を決定するように構成され、及び
−前記マスタ制御器は、必要である場合に、前記少なくとも１つの品質尺度に基づき、前記変調信号の調整値を担持する制御信号であって、前記一群の光源駆動ユニットに対する制御信号を生成するように構成される、
制御システムが提供される。
【００１０】
したがって、本発明に従うと、光出力信号の検出における所望な信頼性を得る又は維持するために、このような変調信号が、信頼性の調整が必要である場合に、調整される。従来技術のように電力信号を調整するのではなく、変調信号を、調整手段として使用することによって、光特性に悪影響を与えることなく信頼性を修正することは容易である。この場合、信頼性を調整することは、信頼性を増加させる又は低下させることのいずれかを意味し得ることを特記されるべきである。例えば、後者、すなわち低下させることは、調光範囲の低下を代償にして不足を補償しないようなことのために、関心のあることであり得る。更に、特定の応用例においては、使用者は、変調信号によって担持される情報を獲得することにのみ興味がある。更に、情報を検出することの信頼性を向上させることを試みる場合に、電力信号を単に調整することは、しばしば、何の又は僅かの効果しか生じさせ得ない。本発明の方法及び制御システムは、調光範囲を可能な限り広く維持するための機会を提供する一方で、検出及び制御に関する合理的な条件を達成させる。一群の光源は、１つ又はいくつかの光源であり得る。後者の場合、通常、同一の駆動信号が、共通の個別信号を有する光を発する全ての光源へ供給される。
【００１１】
請求項２に規定される、前記方法の一つの実施例において、前記品質尺度を決定するステップは、
−前記一群の光源の前記光出力信号と前記遠隔的検出が実行される位置との間に延在する送信リンクに関する少なくとも１つの性能パラメータを推定するステップと、
−前記少なくとも１つの品質尺度を決定するステップのために、前記少なくとも１つの品質尺度を使用するステップと、
を含む。
【００１２】
この実施例は、接続リンクにおける条件、すなわち、光送信及び検出が発生する環境を有利に考慮に入れる。
【００１３】
請求項３に記載の方法の一つの実施例に従うと、前記少なくとも１つの品質尺度は、信号対雑音比率、前記検出される個別光出力信号の信号振幅、及び前記検出される個別光出力信号の雑音レベルのうちの少なくとも１つを含む。これらは、品質尺度の優れた決定を行うための魅力的なパラメータの一般的な例である。
【００１４】
請求項４に記載の方法の一つの実施例に従うと、前記変調信号を調整するステップは、前記変調信号の変調深度、周波数及び強度のうちの少なくとも１つを調整するステップを含む。これらは、良好な効果をえるために調整するべき適切な信号特性の例である。変調深度は、ＰＷＭ（パルス幅変調）などの特定の様々な変調技術において有利であり、及び、変調信号の振幅を調整することによって通常調整される強度も有利である。
【００１５】
請求項５に記載の方法の一つの実施例に従うと、前記品質尺度を決定するステップが、
−現在の品質レベルを決定するステップと、
−前記現在の品質レベルを、所望な品質レベルと比較するステップと、
を含む。
【００１６】
このことは、有用な品質尺度を提供する有利な手法であり、このことは、所望な品質レベルをユーザ設定可能にすることによって、追加的にユーザによる影響の可能性を広げる。
【００１７】
請求項６に記載の方法の一つの実施例に従うと、前記光出力を遠隔的に検出するステップは、前記光出力信号から前記個別情報を抽出するステップを含み、前記少なくとも１つの品質尺度を決定するステップは、前記個別情報の抽出の品質尺度を決定するステップを含む。したがって、この実施例は、特に、いかに検出信号が、変調信号によって担持される情報を抽出することを管理するか、について焦点を合わせている。
【００１８】
請求項７乃至９に記載の実施例の方法に従うと、前記個別情報は、前記光出力信号の、デューティサイクルなどの各時間周期内において１以上のビットとして表わされる。この場合、前記品質尺度は、例えば、所定の時間周期において、又は正しい検出ビットに対する誤検出ビットの比率として、誤検出ビットの数に関連するように選択され得る。このことは、前記変調信号を調整するステップが、前記時間周期内におけるビットの数を調整するステップを有するという選択肢を提供する。
【００１９】
請求項１０に記載の方法の一つの実施例に従うと、検出の範囲は、前記光出力信号の少なくとも１つの光特性を推定するステップを含み、前記少なくとも１つの品質尺度を決定する範囲は、前記推定の品質尺度を決定するステップを含むことを強調される。したがって、本質的に知られている１つ以上の光特性の推定は、同様にこの方法の一部であり得る。
【００２０】
請求項１１に記載の方法の一つの実施例に従うと、変調信号に加えて光出力信号は、同様に調整可能な電力信号を含むことを規定される。この調整は、信頼性の正しいレベルを保護すること、及び／又は光出力信号の色点の偏位すなわち調光範囲における低下を防ぐこと、の一部であり得、したがって、このことは、請求項１２に記載の、電力信号の調整を、変調信号の調整にも基づくようにさせることを含み得る。
【００２１】
本発明のこれら及び他の態様、特徴及び有利な点は、以下に記載の実施例から明らかであり、これらを参照にして説明され得る。
【００２２】
本発明は、以下により詳細に及び添付の図面を参照にして説明される。
【図面の簡単な説明】
【００２３】
【図１】図１は、本発明の制御システムの実施例に従う制御システムを含む発光システムを概略的に例証する。
【図２ａ】図２ａは、本発明の制御方法の様々な実施例に従う一つの種類の変調技術に関する概略的に例証されるタイミング図である。
【図２ｂ】図２ｂは、本発明の制御方法の様々な実施例に従う一つの種類の変調技術に関する概略的に例証されるタイミング図である。
【図３】図３は、本発明に従う方法の一つの実施例を用いて実行される適合処理の機能図である。
【発明を実施するための形態】
【００２４】
図１を参照すると、例証的な発光システムは、ビルにおける部屋などの、構造物の天井５において装着される４つの群の光源１−４を含む。各群は、単一の光源からなる。光源１−４は、調光可能ないずれかの種類のものであり得、上述の手法で変調される能力を提供する。通常の種類の例は、ＬＥＤ光源、蛍光灯ランプ、高輝度放電ランプ、白熱ランプ及びハロゲンランプである。これらは白色又は色付きであり得る。簡素化の理由のために、以下において、４つの光源１−４はランプとして記される。発光システムは、更に、駆動ユニット６−９を含む制御システムを含み、これらのそれぞれは、ランプ１−４の対応するものに接続され、より具体的にはそれらに装着される。制御システムは、更に、以下において検出器と記される検出器装置１０、及び、以下においてマスタとも記されるマスタ制御器１１を含む。この実施例において、検出器１０及びマスタ１１は、個別の物理的構造体であるが、代替的に、これらは、同一の物理的構造体でもあり得る。検出器装置１０は、マスタ制御器１１と無線で通信し、マスタ制御器１１は、駆動ユニット６−９と無線で通信する。代替的に、通信は、特定の応用例においてより適切である場合は、有線接続であり得る。
【００２５】
検出器１０は、一群のランプ１−４からの光出力全体を検出する、すなわち各ランプによって発される光の一部分が検出器１０のセンサ部分１２に入射する。図１から理解され得るように、通常、これらの一部分の量は異なり得、しばしば、その差は大きい。例えば、図１において、検出器１０から最も離れており、且つ、追加的には、検出器１０に対して不利に向けられているランプ４からの生じる光の検出部分は、最も近いランプ１から生じる光の部分よりもかなり小さい。同一のことが、異なるランプ１−４から検出される光の強度に適用され、この場合、異なるランプからの光出力の強度は、同様に影響を含む。例えば、図１は、左から２番目のランプ２が他のランプ１・３・４よりも高い強度を有することを示すように意図される。
【００２６】
従来技術と合せて上述されるように、このような差は、多くの場合、一群のランプの光出力の低品質制御と受信個別情報の低信頼性を生じさせる検出光の品質の欠如、又は、最悪の場合の状況に関して発光システム及びその制御システムを設計するなどの過度の補償、のいずれかを生じさせる。これらの差は、以下において、より詳細に説明及び例証される本発明の方法を用いて、より洗練された手法で対処される。
【００２７】
各ランプ１−４は、光出力信号を発する、すなわち生成する。この実施例において、駆動ユニット６−９のそれぞれは、図２ａに概略的に示されるように、電力信号２２と電力信号２２を変調する変調信号２１とからなる駆動信号を、対応する発光要素１３−１６へ供給する。電力信号は、ＰＷＭ信号である。ＰＷＭ変調は、光出力信号の強度を設定するために使用される。電力信号２２は、追加的に、各電力信号パルスの始めにおいて短パルスとして追加される変調信号２１によって変調される。短パルスは、１ビットを表わす。短パルスの存在は、論理的「１」を表わし、短パルス不存在は論理的「０」を表わす。平均して、変調信号に含まれるビットの半分は、１であることを仮定される。各ランプ１−４の光出力信号を変調信号の追加的電力によって影響を受けないように維持するために、電力信号２２のパルス幅は、結果的に変調信号２１のパルス幅の半分だけ減らされる。これにより、例えば、最大出力のパーセントで示される出力である、個別の光出力信号の光出力レベル又は調光レベルは、不変更を維持される。変調信号２１は、１及び０の固有の組合せの複数連続ビットの形式での符号として表わされる、識別情報を含む個別情報を含む。
【００２８】
検出器１０は、光条件を制御する及び／又は個別情報を検出するように望まれる位置に配置される。検出光は、全ての４つのランプ１−４からの寄与を含み、検出器１０は、固有個別符号のおかげにより、どのランプからのどの寄与であるかを選別することが可能である。更に、検出器１０は、各個別光出力信号の強度を推定する。追加的に、検出器１０は、各ランプ１−４及び検出器１０の間の全ての光経路１７−２０に関する経路性能パラメータを決定する。より具体的には、検出器１０は、光経路１７−２０の信号対雑音比率、情報ビットを表わす個別光出力信号の検出部分の振幅、及び、ビットエラー比率などの正誤受信データビットの比率、を通常決定する。経路性能パラメータは、個別情報の抽出に関する品質のレベルとして考慮される。
【００２９】
検出器１０は、全ての検出及び決定データをマスタ１１へ第１制御リンクＣ１を介して送信する。マスタ１１は、検出器１０から受信される現在の品質レベルを、マスタ１１によって保持されるルックアップテーブルに記憶される所望な品質レベルと比較することによって、品質尺度を決定する。この比較が、現在の品質レベルと所望な品質レベルとの間の著しい差が存在すると明らかにする場合、マスタ１１は、後に続く検出にて決定されるべき品質レベルを、所望な品質レベルにより近いようにするために、変調信号を調整する。図２に示されるように、変調信号は、変調深度（md）、すなわちパルス幅、及び、変調信号の各パルスの振幅（A）に関して修正され得る。変調信号２１の変調深度及び／又は振幅の増加は、個別情報の抽出の品質レベルにおいても増加を示す。しかし、マスタ１１は、調光レベルを考慮に入れる。調光レベルが非常に高い又は非常に低い場合、高い変調深度は利用可能であり得ない。変調信号の調整は、変調信号の生成に関する制御値を、ランプ１−４の駆動ユニット６−９へ、第２制御リンクＣ２を介して送信するマスタ１１によって実行される。駆動ユニット６−９は、対応する変調信号２１を生成し、発光要素１３−１６へ供給する。
【００３０】
変調信号２１の上述の特性に加えて、マスタ１１は、変調信号２１のデータレートを決定する。個別情報の抽出の品質レベルが十分に高い場合、変調信号パルスの同一の持続時間内において複数のビットを送信することによって、データレートを増加させることは可能であり得る。この持続時間は、時間スロットとしても呼ばれる。したがって、図２ｂに示されるように、図２ａの場合のように、１ビットの代わりに各時間スロットにおいて２ビットを送信することも可能であり得る。
【００３１】
変調信号調整を決定した場合、マスタ１１は、検出器１０の位置における所望な光強度レベルを維持又は獲得するために、電力信号を同様に調整するかしないかを決定する。マスタ１１が電力信号２２に関する制御値を決定する場合、基本強度要件に加えて、対象となっているランプからの光の強度に影響を与える変調信号のいずれかの調整を考慮に入れる。更に、マスタ１１は光の色を考慮し、これにより、光の色が変更されないままに維持するようにする。結果的に、少なくともこの実施例において、電力信号２２のレベルは、上述の全ての条件に依存する。
【００３２】
したがって、要約すると、図３の機能図又はフローチャートを参照すると、本発明の適合的制御において反復的に実行されるステップのフローは、発光要素１３−１６を用いて光源１−４において光を生成させるステップ（ボックス３０１参照）、検出装置１０を用いて光出力を検出するステップ（ボックス３０２参照）、光経路性能及び光特性の値を測定し、個別データを検出して、この値をマスタ制御器１１へ送信するステップ（ボックス３０３参照）、所望な値から偏差を決定するステップ（ボックス３０４参照）、変調信号及び電力信号調整を決定し、これらを駆動ユニット６−９へ送信するステップ（ボックス３０５）、電力信号及び変調信号を含む駆動信号を生成し、駆動信号を発光要素１３−１６へ供給するステップ（ボックス３０６）である。その後、処理は、ボックス３０１において継続する。
【００３３】
強度又は色点などの、品質の所望なレベル及び光特性は、事前設定であるが、発光システムのユーザが、マスタ制御器１１への直接入力又は光源１−４を介する間接入力のいずれかによりこれらの値を変更することも可能である。後者の場合、新しい値が、駆動ユニット６−９からマスタ制御器１１へ送信される。
【００３４】
上述のルックアップテーブル代替的に又は追加的に、マスタ制御器１１は、制御アルゴリズムを用いる。カルマンフィルタ（Kalman  filters）、ＬＭＳフィルタ又はＲＬＳフィルタなどの、多数の他の既知のアルゴリズムも適用可能である。
【００３５】
制御リンクＣ１・Ｃ２は無線又は有線であり得、この場合、無線代替態様が好ましいことを特記されるべきである。第１制御リンクに関して、検出器１０及びマスタ制御器１１が同一の物理的構造体に配置される場合、リンクは、通常、ハードウェアの内部にある。
【００３６】
上述のように、従属項に記載の、本発明に従う制御方法及び制御システムの実施例が説明されてきた。これらは、単に非制限的な例として考慮されるべきである。当業者によって理解されるように、多くの修正態様及び代替態様が、本発明の範囲内において可能である。
【００３７】
例えば、代替実施例において、データレートの決定は、性能パラメータの１つより多い推定に基づき、すなわち、多数の連続的推定が共通に使用される。
【００３８】
更に、代替実施例において、変調信号は、１つ以上のＣＤＭＡ（符号分割マルチアクセス方式）符号によって実施化される。この場合、低い品質レベルを有する光源に関する個別情報を抽出する品質レベルを増加させるために、多重ＣＤＭＡ符号が、光源に割り当てられる。代替的に、ＣＤＭＡ符号の長さが増加され得る。このことは、変調信号の他の目的に関して行われるように、適合的に実行され得る。
【００３９】
当該方法の代替実施例において、光出力信号は、検出器１０を用いて検出され、品質尺度は、バックグラウンド光を単独に測定することによって決定され、前記品質尺度は、この場合、変調信号を調整することによって使用される。
【００４０】
更なる代替実施例において、変調信号のみが調整される、及び／又は光出力信号を遠隔的に検出するステップは、光出力信号から個別情報を抽出するステップを含み、少なくとも１つの品質尺度を決定するステップは、個別情報の前記抽出の品質レベルを決定するステップを含む。
【００４１】
品質尺度の決定及び変調信号又は電力信号のみの調整の選択に関して使用されるパラメータのより更なる組合せは、当業者によって理解されるように、添付の請求項に記載される本発明の範囲内において可能である。
【００４２】
本発明に目的に関して、及び添付の従属項に関して特に、当業者にとって本質的に明らかであるように、「有する・含む」なる用語は、他の構成要素又はステップを排除するものではなく、単数表現は複数の形態を排除するものでもないことを特記される。
【図１】
0005897258.tif 000002
【図２ａ】
0005897258.tif 000003
【図２ｂ】
0005897258.tif 000004
【図３】
0005897258.tif 000005